(57)【要約】【課題】結露の悪化を効果的に防止することができ、その上、結露の悪化を防ぐための時間を短くすることができる空気調和機を提供する。【解決手段】空気調和機は、窓Ｗに面する室内に設置される室内ユニット１と、室内ユニット１から室内へ吹き出る空気の風向を調整する風向調整部３と、窓Ｗに取り付けられ、窓Ｗの室内側の表面温度を検出する温度センサ２と、室内の湿度を検出する湿度センサ４と、窓Ｗの位置を認識する認識部６とを備え、窓Ｗの室内側の表面に結露が発生すると判定したとき、認識部６が認識した窓Ｗの位置に基づいて、室内ユニット１が窓Ｗへ向けて空気を吹き出すように、室内ユニット１および風向調整部３を制御する。【選択図】図１
2015031415.tif 000002
【特許請求の範囲】
【請求項１】
窓(Ｗ)に面する室内に設置される室内ユニット(１)と、
上記室内ユニット(１)から上記室内へ吹き出る空気の風向を調整する風向調整部(３)と、
上記窓(Ｗ)に取り付けられ、上記窓(Ｗ)の上記室内側の表面温度を検出する温度センサ(２)と、
上記室内の湿度を検出する湿度センサ(４)と、
上記窓(Ｗ)の位置を認識する認識部(６)と、
上記温度センサ(２)が検出した上記窓(Ｗ)の上記室内側の表面温度と、上記湿度センサ(４)が検出した上記室内の湿度とに基づいて、上記窓(Ｗ)の上記室内側の表面に結露が発生するか否かを判定する判定部(Ｓ１，Ｓ２１)と、
上記判定部(Ｓ１)によって、上記窓(Ｗ)の上記室内側の表面に結露が発生すると判定されたとき、上記認識部(６)が認識した上記窓(Ｗ)の位置に基づいて、上記室内ユニット(１)が上記窓(Ｗ)へ向けて空気を吹き出すように、上記室内ユニット(１)および上記風向調整部(３)を制御する制御部(Ｓ２，Ｓ４，Ｓ６，Ｓ１１，Ｓ２２，Ｓ２３)と
を備えることを特徴とする空気調和機。
【請求項２】
請求項１に記載の空気調和機において、
上記制御部(Ｓ２，Ｓ６)は、上記判定部(Ｓ１)によって、上記窓(Ｗ)の上記室内側の表面に結露が発生すると判定されたとき、上記室内ユニット(１)が、予め設定された時間、送風運転した後、暖房運転するように、上記室内ユニット(１)を制御することを特徴とする空気調和機。
【請求項３】
請求項１または２に記載の空気調和機において、
上記室内の人の存否を感知する人感知センサを備え、
上記制御部(Ｓ１１)は、上記人感知センサが上記室内の人の不在を感知したとき、上記室内ユニット(１)から上記室内へ吹き出る空気が窓(Ｗ)に向かうように、かつ、上記風向調整部(３)がスイングしないように、上記風向調整部(３)を制御することを特徴とする空気調和機。
【請求項４】
請求項３に記載の空気調和機において、
上記制御部(Ｓ４)は、上記人感知センサが上記室内の人の存在を感知したとき、上記風向調整部(３)をスイングさせることを特徴とする空気調和機。
【請求項５】
請求項４に記載の空気調和機において、
上記室内ユニット(１)から上記室内へ吹き出る空気が上記窓(Ｗ)へ向かうときの上記風向調整部(３)のスイングスピードは、上記室内ユニット(１)から上記室内へ吹き出る空気が上記窓(Ｗ)以外に向かうときの上記風向調整部(３)のスイングスピードよりも遅いことを特徴とする空気調和機。
【請求項６】
請求項１から５までのいずれか一項に記載の空気調和機において、
上記認識部(６)は、ユーザが入力する情報に基づいて、上記窓(Ｗ)の位置を認識することを特徴とする空気調和機。
【請求項７】
請求項１から５までのいずれか一項に記載の空気調和機において、
上記認識部(６)は、上記温度センサ(２)からの信号に基づいて、上記窓(Ｗ)の位置を認識することを特徴とする空気調和機。
【請求項８】
窓(Ｗ)に面する室内に設置される室内ユニット(１)と、
上記室内ユニット(１)から上記室内へ吹き出る空気の風向を調整する風向調整部(３)と、
上記窓(Ｗ)に取り付けられ、上記窓(Ｗ)の上記室内側の表面温度を検出する温度センサ(２)と、
上記室内の湿度を検出する湿度センサ(４)と、
上記窓(Ｗ)の位置を認識する認識部(６)と、
上記温度センサ(２)が検出した上記窓(Ｗ)の上記室内側の表面温度と、上記湿度センサ(４)が検出した上記室内の湿度とに基づいて、上記窓(Ｗ)の上記室内側の表面に結露が発生するか否かを判定する判定部(Ｓ１，Ｓ２１)と、
上記判定部(Ｓ１)によって、上記窓(Ｗ)の上記室内側の表面に結露が発生すると判定されたとき、上記認識部(６)が認識した上記窓(Ｗ)の位置に基づいて、上記室内ユニット(１)が上記窓(Ｗ)へ向けて空気を吹き出すように、上記室内ユニット(１)および上記風向調整部(３)を制御する制御部(Ｓ２，Ｓ４，Ｓ６，Ｓ１１，Ｓ２２，Ｓ２３，Ｓ２５)と
を備え、
上記制御部(Ｓ４，Ｓ２３)は、上記室内ユニット(１)から上記室内へ吹き出る空気が上記窓(Ｗ)へ向かうときの上記風向調整部(３)のスイングスピードが、上記室内ユニット(１)から上記室内へ吹き出る空気が上記窓(Ｗ)以外に向かうときの上記風向調整部(３)のスイングスピードよりも遅くなるように、上記風向調整部(３)をスイングさせることを特徴とする空気調和機。
【発明の詳細な説明】
【技術分野】
【０００１】
本発明は空気調和機に関する。
【背景技術】
【０００２】
従来、空気調和機としては、特開２００４−３２４９４２号公報(特許文献１)に開示されたものがある。この空気調和機は、室外温度から窓の表面温度を算出し、この表面温度が室内空気の露点温度以下とならないように、除湿運転または加湿運転を行う。
【先行技術文献】
【特許文献】
【０００３】
【特許文献１】特開２００４−３２４９４２号公報
【発明の概要】
【発明が解決しようとする課題】
【０００４】
しかしながら、上記従来の空気調和機は、室外温度から窓の表面温度を算出しているため、窓の表面温度を正確に算出することができない。
【０００５】
したがって、上記従来の空気調和機には、窓の表面において結露が悪化してしまうことがあるという問題がある。
【０００６】
また、上記除湿運転または加湿運転は、室内全体の湿度を調整するため、室内が広いと、長時間になってしまうという問題もある。
【０００７】
そこで、本発明の課題は、結露の悪化を効果的に防止することができ、その上、結露の悪化を防ぐための時間を短くすることができる空気調和機を提供することにある。
【課題を解決するための手段】
【０００８】
上記課題を解決するため、本発明の空気調和機は、
窓に面する室内に設置される室内ユニットと、
上記室内ユニットから上記室内へ吹き出る空気の風向を調整する風向調整部と、
上記窓に取り付けられ、上記窓の上記室内側の表面温度を検出する温度センサと、
上記室内の湿度を検出する湿度センサと、
上記窓の位置を認識する認識部と、
上記温度センサが検出した上記窓の上記室内側の表面温度と、上記湿度センサが検出した上記室内の湿度とに基づいて、上記窓の上記室内側の表面に結露が発生するか否かを判定する判定部と、
上記判定部によって、上記窓の上記室内側の表面に結露が発生すると判定されたとき、上記認識部が認識した上記窓の位置に基づいて、上記室内ユニットが上記窓へ向けて空気を吹き出すように、上記室内ユニットおよび上記風向調整部を制御する制御部と
を備えることを特徴としている。
【０００９】
上記構成によれば、上記判定部は、温度センサが検出した窓の室内側の表面温度と、湿度センサが検出した室内の湿度とに基づいて、窓の室内側の表面に結露が発生するか否かを判定する。また、上記制御部は、判定部によって、窓の室内側の表面に結露が発生すると判定されたとき、認識部が認識した窓の位置に基づいて、室内ユニットが窓へ向けて空気を吹き出すように、室内ユニットおよび風向調整部を制御する。これにより、上記窓の室内側の表面に結露が発生している場合、窓の室内側の表面に室内ユニットからの空気を当てて、結露を乾燥させることができる。したがって、上記結露の悪化を効果的に防止することができる。
【００１０】
また、上記温度センサは、窓に取り付けられるので、窓の室内側の表面温度を正確に検出することができる。これにより、上記窓の室内側の表面の結露がひどくなる前に、窓の室内側の表面に室内ユニットからの空気を当てることができる。したがって、上記結露の悪化をより効果的に防止することができる。
【００１１】
また、上記窓の室内側の表面に室内ユニットからの空気を当てて、結露を乾燥させることができるので、結露の悪化を防ぐための時間を短くすることができる。
【００１２】
一実施形態の空気調和機では、
上記制御部は、上記判定部によって、上記窓の上記室内側の表面に結露が発生すると判定されたとき、上記室内ユニットが、予め設定された時間、送風運転した後、暖房運転するように、上記室内ユニットを制御する。
【００１３】
上記実施形態によれば、上記制御部は、判定部によって、窓の室内側の表面に結露が発生すると判定されたとき、室内ユニットが、予め設定された時間、送風運転した後、暖房運転するように、室内ユニットを制御する。これにより、上記窓の室内側の表面の結露がひどくても、結露を乾燥させることができる。
【００１４】
一実施形態の空気調和機は、
上記室内の人の存否を感知する人感知センサを備え、
上記制御部は、上記人感知センサが上記室内の人の不在を感知したとき、上記室内ユニットから上記室内へ吹き出る空気が窓に向かうように、かつ、上記風向調整部がスイングしないように、上記風向調整部を制御する。
【００１５】
上記実施形態によれば、上記制御部は、人感知センサが室内の人の不在を感知したとき、室内ユニットから室内へ吹き出る空気が窓に向かうように、かつ、風向調整部がスイングしないように、風向調整部を制御する。これにより、上記窓の室内側の表面の結露を効率良く乾燥させることができる。すなわち、上記室内の快適性を気にすることなく、結露の対処に集中することができる。
【００１６】
一実施形態の空気調和機では、
上記制御部は、上記人感知センサが上記室内の人の存在を感知したとき、上記風向調整部をスイングさせる。
【００１７】
上記実施形態によれば、上記制御部は、人感知センサが室内の人の存在を感知したとき、風向調整部をスイングさせるので、室内の温度むらを低減することができる。したがって、上記窓の室内側の表面の結露を乾燥させつつ、室内の快適性を向上させることができる。
【００１８】
一実施形態の空気調和機では、
上記室内ユニットから上記室内へ吹き出る空気が上記窓へ向かうときの上記風向調整部のスイングスピードは、上記室内ユニットから上記室内へ吹き出る空気が上記窓以外に向かうときの上記風向調整部のスイングスピードよりも遅い。
【００１９】
ここで、「上記室内ユニットから上記室内へ吹き出る空気が上記窓へ向かうときの上記風向調整部のスイングスピード」とは、窓の位置に対応する回動角から、予め設定された回動角だけスイングするまでの間、風向調整部がスイングするときのスピードを意味する。
【００２０】
また、「上記室内ユニットから上記室内へ吹き出る空気が上記窓以外に向かうときの上記風向調整部のスイングスピード」とは、窓の位置に対応する回動角から、予め設定された回動角だけスイングした後、風向調整部がスイングするときのスピードを意味する。
【００２１】
上記実施形態によれば、上記室内ユニットから室内へ吹き出る空気が窓へ向かうときの風向調整部のスイングスピードは、室内ユニットから室内へ吹き出る空気が窓以外に向かうときの風向調整部のスイングスピードよりも遅い。これにより、上記風向調整部が一回スイングする間において、窓の室内側の表面に当てる空気を増やすことができる。したがって、上記風向調整部をスイングさせても、窓の室内側の表面の結露を乾燥させる効率が大きく下がるのを防ぐことができる。
【００２２】
一実施形態の空気調和機では、
上記認識部は、ユーザが入力する情報に基づいて、上記窓の位置を認識する。
【００２３】
上記実施形態によれば、上記認識部は、ユーザが入力する情報に基づいて、窓の位置を認識するので、窓の位置の認識の信頼性を高めることができる。
【００２４】
一実施形態の空気調和機では、
上記認識部は、上記温度センサからの信号に基づいて、上記窓の位置を認識する。
【００２５】
上記実施形態によれば、上記認識部は、温度センサからの信号に基づいて、窓の位置を認識するので、窓の位置を自動的に認識することができる。
【００２６】
本発明の空気調和機は、
窓に面する室内に設置される室内ユニットと、
上記室内ユニットから上記室内へ吹き出る空気の風向を調整する風向調整部と、
上記窓に取り付けられ、上記窓の上記室内側の表面温度を検出する温度センサと、
上記室内の湿度を検出する湿度センサと、
上記窓の位置を認識する認識部と、
上記温度センサが検出した上記窓の上記室内側の表面温度と、上記湿度センサが検出した上記室内の湿度とに基づいて、上記窓の上記室内側の表面に結露が発生するか否かを判定する判定部と、
上記判定部によって、上記窓の上記室内側の表面に結露が発生すると判定されたとき、上記認識部が認識した上記窓の位置に基づいて、上記室内ユニットが上記窓へ向けて空気を吹き出すように、上記室内ユニットおよび上記風向調整部を制御する制御部と
を備え、
上記制御部は、上記室内ユニットから上記室内へ吹き出る空気が上記窓へ向かうときの上記風向調整部のスイングスピードが、上記室内ユニットから上記室内へ吹き出る空気が上記窓以外に向かうときの上記風向調整部のスイングスピードよりも遅くなるように、上記風向調整部をスイングさせることを特徴としている。
【００２７】
ここで、「上記室内ユニットから上記室内へ吹き出る空気が上記窓へ向かうときの上記風向調整部のスイングスピード」とは、窓の位置に対応する回動角から、予め設定された回動角だけスイングするまでの間、風向調整部がスイングするときのスピードを意味する。
【００２８】
また、「上記室内ユニットから上記室内へ吹き出る空気が上記窓以外に向かうときの上記風向調整部のスイングスピード」とは、窓の位置に対応する回動角から、予め設定された回動角だけスイングした後、風向調整部がスイングするときのスピードを意味する。
【００２９】
上記構成によれば、上記判定部は、温度センサが検出した窓の室内側の表面温度と、湿度センサが検出した室内の湿度とに基づいて、窓の室内側の表面に結露が発生するか否かを判定する。また、上記制御部は、判定部によって、窓の室内側の表面に結露が発生すると判定されたとき、認識部が認識した窓の位置に基づいて、室内ユニットが窓へ向けて空気を吹き出すように、室内ユニットおよび風向調整部を制御する。これにより、上記窓の室内側の表面に結露が発生している場合、窓の室内側の表面に室内ユニットからの空気を当てて、結露を乾燥させることができる。したがって、上記結露の悪化を効果的に防止することができる。
【００３０】
また、上記温度センサは、窓に取り付けられるので、窓の室内側の表面温度を正確に検出することができる。これにより、上記窓の室内側の表面の結露がひどくなる前に、窓の室内側の表面に室内ユニットからの空気を当てることができる。したがって、上記結露の悪化をより効果的に防止することができる。
【００３１】
また、上記窓の室内側の表面に室内ユニットからの空気を当てて、結露を乾燥させることができるので、結露の悪化を防ぐための時間を短くすることができる。
【００３２】
また、上記制御部は、室内ユニットから室内へ吹き出る空気が窓へ向かうときの風向調整部のスイングスピードが、室内ユニットから室内へ吹き出る空気が窓以外に向かうときの風向調整部のスイングスピードよりも遅くなるように、風向調整部をスイングさせる。これにより、上記風向調整部が一回スイングする間において、窓の室内側の表面に当てる空気を増やすことができる。したがって、上記風向調整部をスイングさせても、窓の室内側の表面の結露を乾燥させる効率が大きく下がるのを防ぐことができる。
【００３３】
また、上記風向調整部がスイングするので、室内の温度むらを低減することができる。したがって、上記室内の快適性を向上させることができる。
【発明の効果】
【００３４】
本発明の空気調和機は、温度センサが検出した窓の室内側の表面温度と、湿度センサが検出した室内の湿度とに基づいて、窓の室内側の表面に結露が発生するか否かを判定する判定部と、この判定部によって、窓の室内側の表面に結露が発生すると判定されたとき、認識部が認識した窓の位置に基づいて、室内ユニットが窓へ向けて空気を吹き出すように、室内ユニットおよび風向調整部を制御する制御部とを備えるので、窓の室内側の表面に室内ユニットからの空気を当てて、結露を乾燥させることができる。したがって、上記結露の悪化を効果的に防止することができる。
【００３５】
また、上記温度センサは、窓に取り付けられるので、窓の室内側の表面温度を正確に検出することができる。したがって、上記窓の室内側の表面の結露がひどくなる前に、窓の室内側の表面に室内ユニットからの空気を当てることができるので、結露の悪化をより効果的に防止することができる。
【００３６】
また、上記窓の室内側の表面に室内ユニットからの空気を当てて、結露を乾燥させることができるので、結露の悪化を防ぐための時間を短くすることができる。
【００３７】
本発明の空気調和機は、温度センサが検出した窓の室内側の表面温度と、湿度センサが検出した室内の湿度とに基づいて、窓の室内側の表面に結露が発生するか否かを判定する判定部と、判定部によって、窓の室内側の表面に結露が発生すると判定されたとき、認識部が認識した窓の位置に基づいて、室内ユニットが窓へ向けて空気を吹き出すように、室内ユニットおよび風向調整部を制御する制御部とを備えるので、窓の室内側の表面に室内ユニットからの空気を当てて、結露を乾燥させることができる。したがって、上記結露の悪化を効果的に防止することができる。
【００３８】
また、上記温度センサは、窓に取り付けられるので、窓の室内側の表面温度を正確に検出することができる。したがって、上記窓の室内側の表面の結露がひどくなる前に、窓の室内側の表面に室内ユニットからの空気を当てることができるので、結露の悪化をより効果的に防止することができる。
【００３９】
また、上記窓の室内側の表面に室内ユニットからの空気を当てて、結露を乾燥させることができるので、結露の悪化を防ぐための時間を短くすることができる。
【００４０】
また、上記制御部は、室内ユニットから室内へ吹き出る空気が窓へ向かうときの風向調整部のスイングスピードが、室内ユニットから室内へ吹き出る空気が窓以外に向かうときの風向調整部のスイングスピードよりも遅くなるように、風向調整部をスイングさせるので、窓の室内側の表面の結露を乾燥させる効率が大きく下がるのを防ぐことができる。
【００４１】
また、上記風向調整部がスイングするので、室内の温度むらを低減することができる。したがって、上記室内の快適性を向上させることができる。
【図面の簡単な説明】
【００４２】
【図１】図１は本発明の一実施の形態の空気調和機を説明するための模式図である。
【図２】図２は上記空気調和機の回路図である。
【図３Ａ】図３Ａは上記空気調和機の制御を説明するためのフローチャートである。
【図３Ｂ】図３Ｂは図３Ａに続くフローチャートである。
【図４Ａ】図４Ａは上記空気調和機の制御の変形例を説明するためのフローチャートである。
【図４Ｂ】図４Ｂは図３Ａに続くフローチャートである
【発明を実施するための形態】
【００４３】
以下、本発明の空気調和機を図示の実施の形態により詳細に説明する。
【００４４】
図１は、本発明の一実施形態の空気調和機の室内ユニット１が設置された室内を示す模式図である。
【００４５】
上記空気調和機は、冷房運転、暖房運転および送風運転が可能な室内ユニット１と、窓Ｗに取り付けられ、窓Ｗの室内側の表面温度を検出する温度センサ２とを備えている。
【００４６】
上記室内ユニット１は、窓Ｗに面する室内に設置され、温度センサ２から窓Ｗの室内側の表面温度を示す信号を受信する。この室内ユニット１には、室内ユニット１から室内へ吹き出る空気の風向を上下左右方向に調整する風向調整部３が設けられている。図示しないが、風向調整部３は、上記空気の左右方向の風向を調整するための垂直羽根と、上記空気の上下方向の風向を調整するための水平羽根とを有している。上記垂直羽根は、垂直羽根用駆動モータにより、左右方向にスイング可能になっている。一方、上記水平羽根は、水平羽根用駆動モータにより、上下方向にスイング可能になっている。
【００４７】
また、上記室内ユニット１には、室内の湿度を検出する湿度センサ４と、室内の人の存否を感知する人感知センサ５とが取り付けられている。この人感知センサ５は例えば赤外線を使用する。
【００４８】
また、上記室内ユニット１内には、窓Ｗの位置を認識する認識部６が設けられている。この認識部６はソフトウェアまたはハードウェアから成っている。また、認識部６は、ユーザが例えばリモコン(図示せず)を使って入力する情報に基づいて、窓Ｗの位置を認識する。この窓Ｗの位置を示すデータは、不揮発性メモリ(図示せず)に記憶される。
【００４９】
また、上記不揮発性メモリには、飽和水蒸気圧曲線に関するデータを予め記憶させている。
【００５０】
図２は上記空気調和機の回路図である。
【００５１】
上記室内ユニット１内には室内熱交換器１１が配置されている。この室内熱交換器１１は、接触する空気との間で熱交換を行う。
【００５２】
また、上記室内ユニット１内には、クロスフローファン１２およびファンモータ１３が配置されている。このファンモータ１３がクロスフローファン１２を回転駆動すると、室内空気は、室内ユニット１内に吸い込まれ、室内熱交換器１１で熱交換した後、室内に吹き出される。
【００５３】
上記空気調和機は、室外に設置される室外ユニット１０１を備えている。この室外ユニット１０１には、圧縮機１０２、四路切換弁１０３、アキュムレータ１０４、室外熱交換器１０５および電動膨張弁１０６が設けられている。
【００５４】
上記圧縮機１０２の冷房運手時の吐出側には四路切換弁１０３の第１ポート１０３ａが接続されている。一方、圧縮機１０２の冷房運手時の吸入側には、アキュムレータ１０４を介して四路切換弁１０３の第４ポート１０３ｄが接続されている。
【００５５】
上記室外熱交換器１０５の一端は、四路切換弁１０３の第２ポート１０３ｂに接続されている。一方、室外熱交換器１０５の他端は、電動膨張弁１０６、フィルタ１０７、液閉鎖弁１０８および冷媒配管５１を介して室内熱交換器１１の一端に接続されている。
【００５６】
また、上記四路切換弁１０３の第３ポート１０３ｃは、ガス閉鎖弁１０９および冷媒配管５２を介して室内熱交換器１１の他端に接続されている。
【００５７】
上記室外ユニット１０１内には、室外熱交換器１０５に風を送るためのプロペラファン１１０が配置されている。このプロペラファン１１０は、プロペラファンモータ１１１によって回転駆動される。
【００５８】
以下、図３Ａ，図３Ｂのフローチャートにしたがって、上記空気調和機が行う制御について説明する。なお、上記制御は、例えば、リモコンの操作に応じて開始する。
【００５９】
上記制御が開始すると、図３Ａに示すように、まず、ステップＳ１で、温度センサ２が検出した窓Ｗの室内側の表面温度と、湿度センサ４が検出した室内の湿度とに基づいて、窓Ｗの室内側の表面に結露が発生するか否かを判定する。このステップＳ１で、窓Ｗの室内側の表面に結露が発生しないと判定されると、再び、ステップＳ１を行う。一方、ステップＳ１で、窓Ｗの室内側の表面に結露が発生すると判定されると、ステップＳ２に進む。
【００６０】
次に、ステップＳ２で、室内ユニット１に送風運転を開始させる。これにより、室温と略同じ温度の空気が、室内ユニット１から室内に吹き出る。
【００６１】
次に、ステップＳ３で、人感知センサ５を用いて、室内に人が居るか否かを判定する。このステップＳ３で、室内に人が居ると判定されると、ステップＳ４の制御を行った後、ステップＳ５に進む。一方、ステップＳ３で、室内に人が居ないと判定されると、ステップＳ１１の制御を行った後、ステップＳ５に進む。
【００６２】
上記ステップＳ４では、不揮発性メモリに記憶された窓Ｗの位置を示すデータに基づいて、室内ユニット１から室内へ吹き出る空気が断続的に窓Ｗに当たるように、風向調整部３の垂直羽根を一定速度で左右方向にスイングさせる。なお、ステップＳ４では、水平羽根はスイングしないようにしてもよい。
【００６３】
上記ステップＳ１１では、不揮発性メモリに記憶された窓Ｗの位置を示すデータに基づいて、室内ユニット１から室内へ吹き出る空気が窓Ｗに連続的に当たるように、風向調整部３が制御される。すなわち、不揮発性メモリに記憶された窓Ｗの位置を示すデータに基づいて、室内ユニット１から室内へ吹き出る空気が窓Ｗに向かうように、かつ、風向調整部３がスイングしないように、風向調整部３が制御される。
【００６４】
次に、図３Ｂに示すように、ステップＳ５で、送風運転の開始から、予め設定された時間が経過したか否かを判定する。このステップＳ５で、予め設定された時間が経過していないと判定されると、再び、ステップＳ５を行う。一方、ステップＳ５で、予め設定された時間が経過したと判定されると、ステップＳ６に進む。
【００６５】
次に、ステップＳ６で、室内ユニット１に暖房運転を開始させる。これにより、室内熱交換器１１で温度が上がった空気が、室内ユニット１から室内に吹き出る。
【００６６】
最後に、ステップＳ７で、温度センサ２が検出した窓Ｗの室内側の表面温度と、湿度センサ４が検出した室内の湿度とに基づいて、窓Ｗの室内側の表面に結露が発生するか否かを判定する。このステップＳ７で、窓Ｗの室内側の表面に結露が発生すると判定されると、再び、ステップＳ７を行う。一方、ステップＳ７で、窓Ｗの室内側の表面に結露が発生しないと判定されると、上記制御がエンドになる。これに伴い、暖房運転などが停止する。
【００６７】
ここで、上記ステップ１は判定部の一例であり、ステップＳ２，Ｓ４，Ｓ６，Ｓ１１は制御部の一例である。
【００６８】
このように、上記ステップＳ１で、窓Ｗの室内側の表面に結露が発生すると判定されたとき、室内ユニット１が窓Ｗへ向けて空気を吹き出すように、室内ユニット１および風向調整部３を制御する。これにより、上記窓Ｗの室内側の表面に結露が発生している場合、窓Ｗの室内側の表面に室内ユニット１からの空気を当てて、結露を乾燥させることができる。したがって、上記結露の悪化を効果的に防止することができる。
【００６９】
また、上記温度センサ２は、窓Ｗに取り付けられるので、窓Ｗの室内側の表面温度を正確に検出することができる。これにより、上記窓Ｗの室内側の表面の結露がひどくなる前に、窓Ｗの室内側の表面に室内ユニット１からの空気を当てることができる。したがって、上記結露の悪化をより効果的に防止することができる。
【００７０】
また、上記窓Ｗの室内側の表面に室内ユニット１からの空気を当てて、結露を乾燥させることができるので、結露の悪化を防ぐための時間を短くすることができる。
【００７１】
また、上記ステップＳ１で、窓Ｗの室内側の表面に結露が発生すると判定されたとき、室内ユニット１が、予め設定された時間、送風運転した後、暖房運転する。したがって、上記送風運転だけでは乾燥させるのに時間がかかる結露を短時間で乾燥させることできる。
【００７２】
また、上記ステップＳ３で、室内に人が居ないと判定されたとき、室内ユニット１から室内へ吹き出る空気が窓Ｗに連続的に向かうようになる。したがって、窓Ｗの室内側の表面の結露を効率良く乾燥させることができる。すなわち、上記室内の快適性を気にすることなく、結露の対処に集中することができる。
【００７３】
また、上記ステップＳ３で、室内に人が居ると判定されたとき、風向調整部３がスイングする。したがって、上記室内の温度むらを低減することができる。その結果、上記室内の快適性を向上させることができる。
【００７４】
また、上記風向調整部３がスイングしても、室内ユニット１から室内へ吹き出る空気が断続的に窓Ｗに当たるので、窓Ｗの室内側の表面の結露を乾燥させることができる。
【００７５】
また、上記認識部６は、ユーザが入力する情報に基づいて、窓Ｗの位置を認識するので、窓Ｗの位置の認識の信頼性を高めることができる。
【００７６】
上記実施形態では、窓Ｗの室内側の表面に結露が発生すると判定されたとき、室内ユニット１が、予め設定された時間、送風運転した後、暖房運転していたが、送風運転または暖房運転だけするようにしてもよい。
【００７７】
上記実施形態では、風向調整部３の垂直羽根を一定速度で左右方向にスイングさせていたが、風向調整部３の垂直羽根を非一定速度で左右方向にスイングさせてもよい。
【００７８】
例えば、上記室内ユニット１から室内へ吹き出る空気が窓Ｗへ向かうときの風向調整部３の垂直羽根のスイングスピードは、室内ユニット１から室内へ吹き出る空気が窓Ｗ以外へ向かうときの風向調整部３の垂直羽根のスイングスピードよりも遅くなるようにしてもよい。
【００７９】
別の言い方をすれば、上記風向調整部３の垂直羽根のスイングスピードが比較的遅いとき、室内ユニット１から室内へ吹き出る空気が窓Ｗへ向かうようにする一方、風向調整部３の垂直羽根のスイングスピードが比較的早いとき、室内ユニット１から室内へ吹き出る空気が窓Ｗ以外に向かうようにしてもよい。
【００８０】
すなわち、上記窓Ｗの位置に対応する回動角から、予め設定された回動角だけスイングするまでの間は、風向調整部３の垂直羽根は比較的遅い速度でスイングする一方、窓Ｗの位置に対応する回動角から、予め設定された回動角だけスイングした後は、風向調整部３の垂直羽根は比較的早い速度でスイングするようにしてもよい。
【００８１】
このように、上記風向調整部３の垂直羽根を非一定速度で左右方向にスイングさせることにより、風向調整部３の垂直羽根が一回スイングする間において、窓Ｗの室内側の表面に当てる空気を増やすことができる。したがって、風向調整部３の垂直羽根をスイングさせても、窓Ｗの室内側の表面の結露を乾燥させる効率が大きく下がるのを防ぐことができる。
【００８２】
また、上記風向調整部３の垂直羽根がスイングするので、室内の温度むらを低減することができる。したがって、室内の快適性を向上させることができる。
【００８３】
上記実施形態では、上記認識部６は、ユーザが入力する情報に基づいて、窓Ｗの位置を認識していたが、温度センサ２からの信号に基づいて、窓Ｗの位置を認識するようにしてもよい。このようにすれば、認識部６は、窓Ｗの位置を自動的に認識することができる。
【００８４】
上記実施形態では、空気調和機は、図３Ａ，図３Ｂのフローチャートに対応する制御を行っていたが、図４Ａ，図４Ｂのフローチャートに対応する制御を行ってもよい。
【００８５】
以下、図４Ａ，図４Ｂのフローチャートにしたがって、上記空気調和機が行う制御について説明する。なお、上記制御は、例えば、リモコンの操作に応じて開始する。
【００８６】
上記制御が開始すると、図４Ａに示すように、まず、ステップＳ２１で、温度センサ２が検出した窓Ｗの室内側の表面温度と、湿度センサ４が検出した室内の湿度とに基づいて、窓Ｗの室内側の表面に結露が発生するか否かを判定する。このステップＳ２１で、窓Ｗの室内側の表面に結露が発生しないと判定されると、再び、ステップＳ２１を行う。一方、ステップＳ２１で、窓Ｗの室内側の表面に結露が発生すると判定されると、ステップＳ２２に進む。
【００８７】
次に、ステップＳ２２で、室内ユニット１に送風運転を開始させる。これにより、室温と略同じ温度の空気が、室内ユニット１から室内に吹き出る。
【００８８】
次に、ステップＳ２３で、不揮発性メモリに記憶された窓Ｗの位置を示すデータに基づいて、室内ユニット１から室内へ吹き出る空気が断続的に窓Ｗに当たるように、風向調整部３の垂直羽根を一定速度で左右方向にスイングさせる。なお、ステップＳ２３では、水平羽根はスイングしないようにしてもよい。
【００８９】
より詳しくは、上記室内ユニット１から室内へ吹き出る空気が窓Ｗへ向かうときの風向調整部３の垂直羽根のスイングスピードが、室内ユニット１から室内へ吹き出る空気が窓Ｗ以外へ向かうときの風向調整部３の垂直羽根のスイングスピードよりも遅くなるように、風向調整部３の垂直羽根を制御する。
【００９０】
別の言い方をすれば、風向調整部３の垂直羽根のスイングスピードが比較的遅いとき、室内ユニット１から室内へ吹き出る空気が窓Ｗへ向かうようにする一方、風向調整部３の垂直羽根のスイングスピードが比較的早いとき、室内ユニット１から室内へ吹き出る空気が窓Ｗ以外に向かうように、風向調整部３の垂直羽根を制御する。
【００９１】
すなわち、上記窓Ｗの位置に対応する回動角から、予め設定された回動角だけスイングするまでの間は、風向調整部３の垂直羽根は比較的遅い速度でスイングする一方、窓Ｗの位置に対応する回動角から、予め設定された回動角だけスイングした後は、風向調整部３の垂直羽根は比較的早い速度でスイングするように、風向調整部３の垂直羽根を制御する。
【００９２】
次に、ステップＳ２４で、送風運転の開始から、予め設定された時間が経過したか否かを判定する。このステップＳ２４で、予め設定された時間が経過していないと判定されると、再び、ステップＳ２４を行う。一方、ステップＳ２４で、予め設定された時間が経過したと判定されると、ステップＳ２５に進む。
【００９３】
次に、図４Ｂに示すように、ステップＳ２５で、室内ユニット１に暖房運転を開始させる。これにより、室内熱交換器１１で温度が上がった空気が、室内ユニット１から室内に吹き出る。
【００９４】
最後に、ステップＳ２６で、温度センサ２が検出した窓Ｗの室内側の表面温度と、湿度センサ４が検出した室内の湿度とに基づいて、窓Ｗの室内側の表面に結露が発生するか否かを判定する。このステップＳ２６で、窓Ｗの室内側の表面に結露が発生すると判定されると、再び、ステップＳ２６を行う。一方、ステップＳ２６で、窓Ｗの室内側の表面に結露が発生しないと判定されると、上記制御がエンドになる。これに伴い、暖房運転などが停止する。
【００９５】
ここで、上記ステップ２１は判定部の一例であり、ステップＳ２２，Ｓ２３，Ｓ２５は制御部の一例である。
【００９６】
このように、上記風向調整部３の垂直羽根を非一定速度で左右方向にスイングさせることにより、風向調整部３の垂直羽根が一回スイングする間において、窓Ｗの室内側の表面に当てる空気を増やすことができる。したがって、風向調整部３の垂直羽根をスイングさせても、窓Ｗの室内側の表面の結露を乾燥させる効率が大きく下がるのを防ぐことができる。
【００９７】
また、上記風向調整部３の垂直羽根がスイングするので、室内の温度むらを低減することができる。したがって、室内の快適性を向上させることができる。
【００９８】
また、上記空気調和機は、図４Ａ，図４Ｂのフローチャートに対応する制御を行うとき、人感知センサ５を備えなくてもよい。
【００９９】
本発明の具体的な実施形態について説明したが、本発明は上記実施形態に限定されるものではなく、本発明の範囲内で種々変更して実施することができる。例えば、上記実施形態と上述の変形例とを適宜組み合わせたものを、本発明の一実施形態としてもよい。
【符号の説明】
【０１００】
１  室内ユニット
２  温度センサ
３  風向調整部
４  湿度センサ
５  人感知センサ
６  認識部
１１  室内熱交換器
１０１  室外ユニット
１０２  圧縮機
１０３  四路切換弁
１０４  アキュムレータ
１０６  室外熱交換器
【図１】
2015031415.tif 000003
【図２】
2015031415.tif 000004
【図３Ａ】
2015031415.tif 000005
【図３Ｂ】
2015031415.tif 000006
【図４Ａ】
2015031415.tif 000007
【図４Ｂ】
2015031415.tif 000008